(57)【要約】      （修正有）【課題】  光同軸ケーブル施設における障害発生箇所の特定を容易にする。【解決手段】  ステップＳ１０１で、障害情報調査処理がユーザの設定した時間間隔で呼び出され、その後、順次、ステップＳ１０２〜Ｓ１０７の処理が行われる。Ｓ１０１は、異常情報の更新有無を監視し、障害情報の更新有無を返す。Ｓ障害情報から障害のあった増幅器の親光ノードを地図上にマークする。次に、Ｓ１０４で、ユーザからのマーク選択操作を受け付ける。Ｓ１０５で、地図上のマークをユーザが選択した場合に、光ノードの下流におけるネットワーク図を表示する。Ｓ１０６で、ユーザからの設備選択操作を受付ける。Ｓ１０７は、ネットワーク図上の設備に対して、ユーザが選択を行った場合に、設備に該当する設備図形を含む地図をロードし、表示する。このようにユーザからの受付によりネットワーク図を表示し、これに基づいて選択された設備を地図上に反映する。【選択図】  図９
2006253853.tif 000002
【特許請求の範囲】
【請求項１】
光ノードと増幅器と光同軸ケーブルとを含む光同軸ケーブル設備のつながりを地図上に表示した設備図と、該設備図において設備を特定する第１の設備ＩＤと対応する第２の設備ＩＤを有し前記光同軸ケーブル設備のつながりを管理するネットワーク図と、を利用した設備管理システムであって、
前記設備図上において指定された前記第１の設備ＩＤと対応する前記ネットワーク上の前記第２の設備ＩＤに基づいて、該第２の設備ＩＤにより特定される光ノードよりも下流側の設備が記載されているネットワーク図が描画されたレイヤの番号を取得し、該レイヤ番号を有するネットワーク図に基づいて指定した前記第２の設備ＩＤと関連付けされている前記第１の設備ＩＤを前記設備図上に表示する処理を行う処理部を有することを特徴とする設備管理システム。
【請求項２】
光ノードと増幅器と光同軸ケーブルとを含む設備のつながりを管理するネットワーク図と、地図上で前記設備を管理する設備図と、を利用した設備管理システムであって、
前記ネットワーク図は、前記設備をユニークに特定する設備ＩＤと前記ネットワーク図における光ノードと増幅器とを含む図形をユニークに特定する形状要素番号とレイヤの番号とを有し前記ネットワーク図における前記形状要素番号を取得できるネットワーク図形テーブルと、前記光ノードの設備ＩＤとレイヤの番号とを有し光ノードより下流のネットワーク図が描画されているレイヤ番号を取得できるレイヤ情報テーブルと、を備えており、
前記設備図は、設備ＩＤと上流側ケーブルＩＤと下流側ケーブルＩＤとを有し、設備とケーブルとに基づいて接続先のケーブルを取得できる接続テーブルと、ケーブルＩＤと上流側設備ＩＤと下流側設備ＩＤとを有しケーブルの両端の設備を取得できるケーブルテーブルと、設備ＩＤと形状要素番号とを有し図形をユニークに特定する設備図形テーブルと、を備えており、
前記ネットワーク図形テーブルの設備ＩＤと前記設備図形テーブルの設備ＩＤとが関連付けされているとともに、前記レイヤ情報テーブルの設備ＩＤと前記接続テーブルの設備ＩＤとが関連付けされていることを特徴とする設備管理システム。
【請求項３】
障害発生情報を出力している増幅器よりも上流側であり、かつ、最も下流側の光ノードを前記設備管理システム上で保持している前記ネットワーク図の接続情報から検索し、検索された光ノードと障害情報とにより障害発生箇所を前記設備図上において特定することを特徴とする請求項２に記載の設備管理システム。
【請求項４】
光ノードと増幅器と光同軸ケーブルとを含む光同軸ケーブル設備のつながりを地図上に表示した設備図と、該設備図において設備を特定する第１の設備ＩＤと対応する第２の設備ＩＤを有し前記光同軸ケーブル設備のつながりを管理するネットワーク図と、を利用した設備管理方法であって、
障害情報に基づいて障害のあった増幅器の光ノードを地図上にマークするステップと、
前記マークに対してユーザによる選択を促し、ユーザによる選択があった場合に、前記光ノードの下流におけるネットワーク図を提示して、ユーザからの設備選択操作を受付けるステップと、
前記ネットワーク図上の設備に対して選択が行われた場合に、前記第１の設備ＩＤと前記第２の設備ＩＤとのリンク付けに基づいて、前記第２の設備ＩＤに対応する第１の設備図形を特定した地図を表示するステップと
を有する設備管理方法。
【発明の詳細な説明】
【技術分野】
【０００１】
本発明は、光同軸ケーブル施設管理技術に関し、特に、障害が発生した光同軸ケーブルに接続された光ノード又は増幅器を特定することができる設備管理技術に関する。
【背景技術】
【０００２】
光ケーブルは、複雑に配線されており、故障や新規の配線、使用されていない配線などが混在しているため、実際に現場で故障の修理をする場合には、例えば、集中管理センターなどからの指示が必要になる場合が多い。
【０００３】
従来、光ケーブルにおける障害発生箇所を特定する技術として、例えば、特許文献１に記載の技術が知られている。特許文献１に記載の技術は、光ケーブルのつながりを検索し、地図上に検索ルートを強調表示させる設備管理システムに関するものである。これは、データベースに、設備情報と設備の接続情報とを保持する構成を有している。ある設備を指定すると、設備管理システムのデータベースが保持する光ケーブルに関する接続情報から、その設備の上流方向及び下流方向のルートを検索し、検索したルート上に存在する設備を地図上に強調表示する。これにより、視覚的に設備のつながりを容易に把握できるため、障害発生箇所の特定を支援することができる。
【０００４】
元来、光ケーブルを結ぶ光ノードは、接続情報を保持しており、また、光ケーブルが切断された場合は、光の減衰をみることなどにより、光ケーブルのいずれの地点でケーブルが切断されたかに関する情報などを取得することができる。従って、出力される異常情報が詳細であり、従来技術での方法で特定が可能であった。
【０００５】
【特許文献１】特開２００３−１６９０２８号公報
【発明の開示】
【発明が解決しようとする課題】
【０００６】
しかしながら、光同軸ケーブルに障害が発生した場合は、電気信号が遮断されてしまうため、光同軸ケーブルより下流に属する全ての増幅器が障害を検知し、障害情報を出力することになる。上記設備管理システムは、障害を検知した増幅器に該当する設備図形を設備図上に強調表示する仕組みを有しているため、障害が発生した同軸ケーブルより下流に複数の増幅器が存在する場合は、設備図上には複数の設備図形が強調表示されることになる。ユーザは、この設備管理システム上で、各増幅器の強調表示に基づいて手作業で作成された光同軸ケーブルのネットワーク図を参照し、障害が発生した光同軸ケーブルを特定する作業を行うことになる。これは、従来の方法では、同軸ケーブルに障害が発生した場合、光同軸ケーブルを接続する増幅器は接続情報を保持しておらず、接続情報から障害発生箇所を一意に特定することができなかったためである。
【０００７】
図１は、実際の地図上の光ネットワークと、光ネットワークにおける障害の発生状況を示す概念的な図である。図１の右側には、光ノード、増幅器、同軸ケーブル、障害を検知した増幅器に関する凡例が付されている。図１においては、光ノードよりも下流側の→で示される増幅器に障害が発生し、それよりも下流側の３つの増幅器においても障害が検知されている様子が示されている。
【０００８】
図２は、障害が発生した増幅器の地図上での表示例を示す図であり、図１と同じように凡例が示されている。図２に示すように、光同軸ケーブルより下流に属する増幅器２０１〜２０４までの全てに障害情報（障害を検知した増幅器である旨の表示と、施設管理システム上での障害発生を通知するマーク）が表示され、障害を検知した増幅器に該当する地図上の設備がマークされる。
【０００９】
ところで、図１及び図２に示す図からでは、いずれのケーブルで障害が発生したのかを見極めることは困難である。例えば、図２に示すように、増幅器２０３に注目して考えると、ケーブル２０５、２０６、２０７のいずれかに障害が発生したケースであるのか、ケーブル２０５〜２０７のケーブルに障害が発生した結果増幅器２０３で障害が検知されたケースに該当するのかを判断することはできないという問題がある。
【００１０】
一方、図７に示すネットワーク図などの展開図上においては、障害発生箇所を特定することは容易である。しかしながら、実際には現場に赴いて地図を頼りに設備の保守・修理を行うためには、特定された障害発生箇所が地図上のいずれの設備であるかを判断する必要があり、ネットワーク図のみで実際の修理等を行うのは極めて困難である。設備管理システムは、各設備間の接続情報を保持しているものの、各設備における接続情報を１つ１つ参照していかなければ、地図上でマークされた設備から論理的ノードのつながりを判断し障害発生箇所を特定するができるが、この作業は非常に手間がかかる。
本発明の目的は、光同軸ケーブル施設における障害発生箇所の特定を容易にすることにある。
【課題を解決するための手段】
【００１１】
本発明は、ネットワーク図上にある設備と設備管理システム上の設備とを関連付けることにより、地図上における障害発生位置の特定を支援することを特徴とする。また、本発明は、障害発生情報を出力している増幅器の最も上流の光ノードを設備管理システム上で保持している接続情報から検索し、その光ノードと障害情報とを関連付けることにより、障害発生箇所を１箇所に集約することを特徴とする。さらに、光ノードとネットワーク図とを関連付けることで、視覚的に障害発生箇所を判定する材料を提供することを特徴とする。
【発明の効果】
【００１２】
本発明によれば、障害発生箇所を1箇所に集約し、ユーザの混乱を防止することが可能となる。また、地図上における障害発生位置の特定が容易になるという利点がある。
【発明を実施するための最良の形態】
【００１３】
本発明に係る光同軸ケーブル施設管理技術の原理について、図面を参照しつつ説明を行う。図３は、障害が発生した増幅器とその上流の親光ノード（光ノード）を示すネットワーク図である。凡例に示される記号により表示された障害を検知した増幅器と、その増幅器を矢印ＡＲ１からＡＲ６までに順番に沿って、上流側に存在する親光ノードであって、最も下流側の親光ノード３２１を検索することにより、障害が発生した増幅器の親光ノードをネットワーク図上において簡単に推定することができる。
【００１４】
図４は、障害が発生した増幅器の上流における親光ノードの地図上での表記方法を示す図である。図３に示す方法により推定された障害が発生した増幅器の親光ノード４２１を、地図上に×印を付して表示することにより、地図上で障害が発生した増幅器の親光ノードを実際に確認することができる。この地図を元にその下流を辿っていくことで、障害が発生した可能性がある増幅器を、複雑な地図上であっても絞り込んで表示することにより、実際に修理工事を受け持つ人がわかりやすいようにする。
【００１５】
すなわち、障害発生情報を出力している増幅器の最も上流の光ノードを設備管理システム上で保持している接続情報から検索し、その光ノードと障害情報を関連付け（図３）、光ノードのみをマークする（図４）ことにより、障害発生箇所を1箇所に集約し、工事担当者が位置を特定しやすいようにする。
【００１６】
以下、本発明の一実施の形態による光同軸ケーブル施設管理技術について図面を参照しつつ説明を行う。図５（Ａ）は、本実施形態による障害監視システムの一構成例を、異常情報検知から地図表示までの流れに基づいて示すブロック図である。図５（Ａ）に示すように、本実施の形態による障害監視システムは、光同軸ケーブル監視装置５０１と、異常情報が記述されている異常情報ＣＳＶ５０２と、異常情報ＣＳＶ５０２の更新を監視する常駐アプリケーションである設備管理システムの常駐プログラム５０３（タスクトレイ）と、設備管理システム５０４と、を有している。
【００１７】
光同軸ケーブル監視装置５０１は、光同軸ケーブルに障害がないかどうかを常時検査することで光同軸ケーブルを監視している。光同軸ケーブルに障害が発生すると、光同軸ケーブル監視装置５０１が障害を感知し、障害情報をＣＳＶ形式に変換した後、その内容を異常情報ＣＳＶ５０２ファイルとして設備管理システム常駐プログラム５０３に通知することにより定期的にチェックを行う。異常情報ＣＳＶが変更された場合、設備管理システム５０４に対して処理をコールする。
【００１８】
図５（Ｂ）は、本実施の形態による設備管理システムの構成例を詳細に示す図である。図５（Ｂ）に示すように、本実施の形態による設備管理システム５０４は、設備管理システム常駐プログラム５０３と、設備管理システム５０４と、バックアップ用の異常情報ＣＳＶファイル５０５と、を備えている。
【００１９】
設備管理システム５０４は、図形データ・設備属性データなどを画面に表示させるための操作を行うディスプレイ５０６と、設備管理情報等を入力するキーボード・マウス５０７と、データ入力処理プログラム５０８と、データ編集処理プログラム５０９と、図形表示処理プログラム５１０と、ルート検索処理プログラム５１１等とを格納するＲＯＭと、属性テーブル５１２と図形テーブル５１３とを備える属性データベースと、レイヤ５１４を備える図形データベースと、を有している。さらに、データベースとアクセスしながらＲＯＭ内のプログラムを実行し、ネットワーク図を作成するネットワーク図作成部５２１を有している。
【００２０】
図６は、障害情報ＣＳＶ５０２の内容と、設備管理システムのレイヤ構造を示す図である。を示す図である。異常情報ＣＳＶは、設備ＩＤ（増幅器のＩＤ）と、障害内容と、を有している。ここで、増幅器ＩＤとは、障害情報を出力している増幅器の設備ＩＤである。
【００２１】
図６に示すように、本実施の形態におる設備管理システムは、設備図と呼ばれる地図上で設備を管理するレイヤ（２．２）と、ネットワーク図と呼ばれる展開図により設備のつながりを管理するレイヤ（２．１）との２レイヤから構成されている。
【００２２】
レイヤ（２．１）は、ネットワーク図におけるテーブル構造例を示す。ネットワーク図形テーブル６０４は、設備ＩＤと形状要素番号とレイヤ番号とから構成されている。設備ＩＤはユニークなキーであり、ネットワーク図における図形をユニークに特定する形状要素番号を取得できるキーである。レイヤ情報テーブル６０５は、設備ＩＤ（光ノード）とレイヤ番号とから構成されている。設備ＩＤ（光ノード）はユニークなキーであり、光ノードより下流のネットワーク図が描画されているレイヤの番号を取得できる。
【００２３】
レイヤ（２．２）は、設備図におけるテーブル構造を示す図である。接続テーブル６０１は、設備ＩＤとケーブルＩＤ（上流）と、ケーブルＩＤ（下流）と、を有している。設備ＩＤとケーブルＩＤ（上流）、ケーブルＩＤ（下流）の３つのキーはユニークであり、設備とケーブルから接続先のケーブルを取得できるテーブルである。ケーブルテーブル６０２は、ケーブルＩＤと設備ＩＤ（上流）、設備ＩＤ（下流）から構成されている。ケーブルＩＤはユニークであり、ケーブルの両端の設備を取得できるテーブルである。設備図形テーブル６０３は、設備ＩＤと形状要素番号と、から構成されている。設備ＩＤはユニークキーであり、設備管理システムにおける図形をユニークに特定する形状要素番号を取得できるＩＤである。図に示すように、ネットワーク図における図形テーブルの設備ＩＤと設備図における図形テーブルの設備ＩＤとは関連付けされているとともに、ネットワーク図における属性テーブルの設備ＩＤと設備図における接続テーブルの設備ＩＤとは、障害情報ファイルの設備ＩＤ（増幅器）と関連付けされている。
【００２４】
図７は、光ノードより下流の増幅器の接続関係を表すネットワーク図である。各設備の直下には、その設備の名称が表示されている。各設備を結ぶ線は、設備間を接続する光同軸ケーブルを示す。例えば、増幅器Ａ００４へは、光ノードＬ００１からＡ００１、Ａ００２を経由するルートでケーブルが接続されていることを示している。また、障害情報が出力された増幅器は、他の設備とは異なる色が表示される。
【００２５】
図８は、図７に示すネットワーク図から設備を指定して設備図を表示した場合の図形が強調表示される様子を示した図である。図８に示すように、複雑な設備図であっても、ネットワーク図に基づいて指定することにより、設備（この場合は増幅器）を強調表示し、複雑な地図上においてもわかりやすく提示することができる。
【００２６】
次に、上述した本実施の形態による光同軸ケーブル管理装置の動作について詳細に説明する。図９は、本実施の形態による設備管理システムのメインルーチンである。まず、処理を開始すると、ステップＳ１０１において、障害情報ＣＳＶ調査処理がユーザにより設定された時間間隔で呼び出され、その後、順次、ステップＳ１０２、Ｓ１０３、Ｓ１０４、Ｓ１０５、Ｓ１０６、Ｓ１０７の処理が行われる。ステップＳ１０１は、異常情報が更新されているか否かの監視をするステップであって、障害情報に更新があるか否かを返す。ステップＳ１０２において、Ｓ１０１の戻り値が「変更あり」の場合はステップＳ１０３が呼ばれ、「変更なし」の場合は処理を終了する。  
【００２７】
ステップＳ１０３は、障害情報から障害のあった増幅器の親光ノードを地図上にマークする。次いで、ステップＳ１０４において、ユーザからのマーク選択操作を受け付ける。ステップＳ１０５において、地図上のマークに対してユーザが選択を行った場合に、光ノードの下流におけるネットワーク図を表示する。ステップＳ１０６において、ユーザからのオペレーション（設備選択操作）を受付ける。ステップＳ１０７は、ネットワーク図上の設備に対して、ユーザが選択を行った場合に、設備に該当する設備図形を含む地図をロードし、表示するステップである。以下、これらの処理を詳細についてさらに説明を行う。このようにユーザからの受付によりネットワーク図を表示し、これに基づいて選択された設備を地図上に反映する。
【００２８】
図１０は、異常情報ＣＳＶ５０２の監視における処理の流れを示すフローチャート図である。まず、障害情報ＣＳＶ調査処理を開始すると、ステップＳ２０１、Ｓ２０２において、現在の異常情報ＣＳＶ５０２（図５（Ａ））と前回のチェック時にバックアップした異常情報ＣＳＶ５０５（図５（Ｂ））との差分を検査する。差分があれば（Ｙｅｓ）、異常が発生したか、もしくは、正常に回復したと判断し、バックアップ用異常情報ＣＳＶ５０５に異常情報ＣＳＶ５０２をコピーし、バックアップ用異常情報ＣＳＶ５０５情報を更新し(ステップＳ２０３)、戻り値「変更あり」を返す。それ以外の場合は（Ｎｏ）、戻り値「変更なし」を返す。
【００２９】
図１１は、親ノードのマーク処理の流れを示すフローチャート図であり、異常情報ＣＳＶ５０２より得られる増幅器ＩＤから設備図上の光ノード設備図形上に×マークを描画するまでの処理を表す図である。図１１に示すように、まず、親ノードのマーク処理を開始すると、異常情報ＣＳＶ５０２から増幅器ＩＤを取得する（ステップＳ３０１）。この増幅器ＩＤをキーとして接続テーブル６０１を検索し、上流のケーブルＩＤを取得する（ステップＳ３０２）。取得したケーブルＩＤと増幅器ＩＤとをキーにして、ケーブルテーブル６０２により上流の設備ＩＤを求める（ステップＳ３０３）。ステップＳ３０４において、求めた設備ＩＤが光ノードか否かを判定し、増幅器であれば（Ｎｏ）、光ノードに到達するまでステップＳ３０２、Ｓ３０３を繰り返す。光ノードを求めると（Ｙｅｓ）、求められた光ノードＩＤをキーにして、設備図形テーブル６０３から該当する形状要素番号を取得する（ステップＳ３０５）。得られた形状要素番号から障害が発生したことを通知する例えば×マークを地図上の該当するシンボル上に表示する（ステップＳ３０６）。この際、光ノードより下流の複数の増幅器において同時に障害情報が出力されても、設備上に表示される×マークは１つである。
【００３０】
図１２は、地図上の形状要素番号からその光ノードの下流におけるネットワーク図を表示する処理の流れを示すフローチャート図であり、ユーザがステップＳ３０６において表示された×マークを選択した場合に呼び出されるフローを示す図である。図１２に示すように、ユーザが選択した×マークより、該当する形状要素番号が得られる。この形状要素番号をキーにして、設備図形テーブル６０３から設備ＩＤを検索する（ステップＳ４０１）。ここで得られた設備ＩＤをキーにして、設備図形テーブル６０３と関連付けされているレイヤ情報テーブル６０５からレイヤ番号を検索し取得する（ステップ４０２）。次いで、取得したレイヤ番号に該当するネットワーク図を表示する（ステップ４０３）。このネットワーク図において、障害情報を出力している増幅器が複数ある場合は、該当する増幅器を全て例えば色を変える処理を行って表示する。このネットワーク図は、論理的ノードのつながりを表しているため、視覚的に障害の発生源となる増幅器を特定するのは容易である（図７参照）。
【００３１】
図１３は、ネットワーク図上の形状要素番号からの操作により、その設備に該当する設備図形を含む地図を設備管理システム上に表示する処理を示すフローチャート図であり、ユーザがネットワーク図上から設備を選択した場合に呼び出されるフローチャート図である。図１３に示すように、ユーザが選択した光ノード又は増幅器より、ネットワーク図上における形状要素番号が得られる。この形状要素番号をキーにして、ネットワーク図形テーブル６０４から、設備ＩＤを検索し、取得する（ステップ５０１）。この設備ＩＤをキーにして、設備図形テーブル６０３から、設備管理システムの地図上における形状要素番号を検索し取得する（ステップ５０２）。得られた形状要素番号から、該当する設備を含む地図（設備図）を表示し、設備を強調表示する（ステップ５０３）。
【００３２】
以上の処理により、障害発生増幅器の親光ノードから障害発生増幅器又は障害発生光ノードの地図上での位置を特定することができる。
【００３３】
以上に説明したように、本実施の形態による光同軸ケーブルの設備管理技術によれば、障害発生情報を出力している増幅器のうちで上流側の光ノードのうちの最下流の光ノードを設備管理システム上で保持している接続情報から検索し、その光ノードと障害情報を関連付け、光ノードのみをマークすることにより、障害発生箇所を１箇所に集約することができる。ユーザの混乱を防止することができる。また、光ノードとネットワーク図とを関連付け、ネットワーク図上にある設備と設備管理システム上の設備とを関連付けることで、複雑な地図上における障害発生位置の特定が容易になるという利点がある。
【産業上の利用可能性】
【００３４】
本発明は、光同軸ケーブルに接続された光ノード又は増幅器のうち障害が発生した設備を地図上で特定することができる設備管理技術に利用できる。
【図面の簡単な説明】
【００３５】
【図１】障害検出表示の一般的な表示例を示す図である。
【図２】障害が発生した増幅器の地図上での一般的な表記方法を示す図である（凡例付き）。
【図３】本発明に係る光同軸ケーブル施設管理技術の原理であって、障害が発生した増幅器とその上流の親光ノードを示すネットワーク図である。
【図４】障害が発生した増幅器の上流における親光ノードの地図上での表記方法を示す図である。
【図５】図５（Ａ）は、本発明の一実施の形態による障害監視システムの一構成例を示すブロック図である。図５（Ｂ）は、本実施の形態による設備管理システムの構成例を詳細に示す図である。
【図６】図６（Ａ）は、障害情報ＣＳＶ５０２の内容を示す図である。図６（Ｂ）は、設備管理システムのレイヤ構造を示す図である。
【図７】光ノードより下流の増幅器の接続関係を表すネットワーク図である。
【図８】図７に示すネットワーク図から設備を指定して設備図を表示した場合の図形が強調表示される様子を示した図である。
【図９】本実施の形態による設備管理システムのメインルーチンである。
【図１０】異常情報ＣＳＶ５０２の監視における処理の流れを示すフローチャート図である。
【図１１】親ノードのマーク処理の流れを示すフローチャート図である。
【図１２】地図上の形状要素番号からその光ノードの下流におけるネットワーク図を表示する処理の流れを示すフローチャート図であり、ユーザがステップＳ３０６において表示された×マークを選択した場合に呼び出されるフローを示す図である。
【図１３】ネットワーク図上の形状要素番号からの操作により、その設備に該当する設備図形を含む地図を設備管理システム上に表示する処理を示すフローチャート図であり、ユーザがネットワーク図上から設備を選択した場合に呼び出されるフローチャート図である。
【符号の説明】
【００３６】
２０１，２０２，２０３  光同軸ケーブル
５０１  光同軸ケーブル監視装置
５０２  異常情報ＣＳＶ
５０３  設備管理システム常駐プログラム
５０４  設備管理システム
５０５  バックアップ用異常情報ＣＳＶ
５０６  ディスプレイ
５０７  キーボード・マウス
５０８  データ入力処理プログラム
５０９  データ編集処理プログラム
５１０  図形表示処理プログラム
５１１  属性情報テーブル
５１２  属性図形リンクテーブル
５１３  設備属性レイヤ
６０１  設備テーブル
６０２  設備図形テーブル（設備管理システム）
６０３  設備図形テーブル（ネットワーク図）
６０４  図面テーブル
【図１】
2006253853.tif 000003
【図２】
2006253853.tif 000004
【図３】
2006253853.tif 000005
【図４】
2006253853.tif 000006
【図５】
2006253853.tif 000007
【図６】
2006253853.tif 000008
【図７】
2006253853.tif 000009
【図８】
2006253853.tif 000010
【図９】
2006253853.tif 000011
【図１０】
2006253853.tif 000012
【図１１】
2006253853.tif 000013
【図１２】
2006253853.tif 000014
【図１３】
2006253853.tif 000015